(57)【特許請求の範囲】
【請求項１】
ケース本体に対して蓋部材が組み付けられてなり、該ケース本体に本体筒部が一体形成されていると共に、該蓋部材における該本体筒部に対応する位置に蓋筒部が一体形成されており、該蓋部材が該ケース本体に対して組み付けられた状態で、該本体筒部と該蓋筒部のそれぞれの内部空間が繋がった状態となるように位置せしめられる一方、該本体筒部と該蓋筒部とを互いに固定する止め具を該本体筒部と該蓋筒部に跨って挿入することによって該ケース本体と該蓋部材を固定して、該ケース本体と該蓋部材とで囲まれて形成された収容空間に制御基板を収容する遊技機用基板ケースにおいて、
前記止め具が、軸状の脚部と該脚部において挿入端部と反対側の端部に設けられた鍔状の頭部とを有していると共に、前記本体筒部と前記蓋筒部のうち該止め具の挿入方向後端側の筒部の前記内部空間には径方向内方に突出する段差面が形成されており、該段差面を挟んだ該挿入方向先端側には前記止め具の脚部を挿通する脚部挿通孔が設けられている一方、該段差面を挟んだ挿入方向後端側には前記止め具の頭部を挿通する頭部挿通孔が設けられており、且つ、接着剤を収容する接着剤収容部を前記頭部挿通孔の周壁内部又は前記頭部挿通孔内に設けると共に、前記止め具の挿入操作によって該接着剤収容部から該接着剤を前記頭部挿通孔内に流出せしめる流出手段を設ける一方、該流出手段で流出せしめられた該接着剤によって該止め具を挿入状態で固定すると共に、前記頭部挿通孔内に流出せしめられた該接着剤を該止め具の頭部の挿入操作端面に回り込ませて該接着剤で該挿入操作端面を覆う流路を設けたことを特徴とする遊技機用基板ケース。
【発明の詳細な説明】
【技術分野】
【０００１】
本発明は、ケース本体と蓋部材が組み合わされて形成される収容空間内に制御基板を収容する遊技機用基板ケースに関するものである。
【背景技術】
【０００２】
従来から、パチンコ機やスロットマシン等の遊技機には、その遊技動作を制御するための各種電子回路やプログラム等を内蔵した制御基板が設けられている。
【０００３】
ところで、近年、このような制御基板を自己に有利なプログラムを内蔵した不正な制御基板に取り替えたり、制御基板に不正な信号を与えて誤動作せしめること等によって遊技機の動作を異ならせて、例えばパチンコ機において多くの賞球を獲得する等の不正行為が行なわれることがあり、問題となっている。
【０００４】
そこで、制御基板に対する不正行為を防止するために、幾つかの重要な制御基板は、例えば特許文献１に記載されている如き特殊な構造を有する基板ケースに収容された状態で遊技機に取り付けられるようになっている。このような基板ケースは、一般的には、ケース本体に一体形成された本体筒部と、蓋部材に一体形成された蓋筒部とを例えばネジなどの止め具で互いに固定することによって、ケース本体と蓋部材が互いに封止状態で固定されるようになっている。このようにすれば、基板ケースを開封するためには本体筒部と蓋筒部をケースから切り離すなどして破壊しなければならず、破壊の痕跡が残ることから、不正に開封されたことを容易に確認出来ると共に、不正な開封を未然に防止することが出来る。
【０００５】
ところが、特許文献１に記載の基板ケースにおいては、止め具としてのネジの頭部が外部に露出していることから、外部からネジを操作されて、本体筒部および蓋筒部を破壊することなく、痕跡を残さずにケースが開封されるおそれがあった。確かに、特許文献１においては、締結方向にのみ操作可能な一方向ネジが用いられており、一旦固定されたネジを緩めることは困難とされている。しかし、近年では、特殊な工具を用いれば一方向ネジを取り外すことも可能であり、不正な開封を防止するには不十分であった。また、特殊な工具を用いずとも、止め具の頭部を工具で引っ掛けて無理矢理引き抜かれるおそれもある。そして、不正な制御基板に交換した後に、止め具を引き抜いた箇所に新たな止め具を接着等で固定すれば、一見しただけでは開封の事実を確認することは困難であった。
【０００６】
このような問題に対処するために、例えば止め具の頭部をキャップ部材で覆うことによって、止め具の頭部を外部から隠蔽することも考えられる。しかし、キャップ部材を取り外したり破壊すれば上記と同様に、止め具の頭部に外部から接触することが可能であり、止め具を無理矢理取り外すことが可能とされる。そして、キャップ部材を予め複製しておいて、破壊したキャップ部材の代わりに新たなキャップ部材を取り付ければ、開封の事実を確認することは困難であることから、充分な対応策であるとは言い難かった。
【０００７】
【特許文献１】特開平１０−２４９０２１号公報
【発明の開示】
【発明が解決しようとする課題】
【０００８】
ここにおいて、本発明は上述の如き事情を背景として為されたものであって、その解決課題とするところは、不正な開放をより困難とすることの出来る、新規な構造の遊技機用基板ケースを提供することにある。
【課題を解決するための手段】
【０００９】
以下、前述の如き課題を解決するために為された本発明の態様を記載する。なお、以下に記載の各態様において採用される構成要素は、可能な限り任意の組み合わせで採用可能である。
【００１０】
すなわち、本発明の第一の態様は、ケース本体に一体形成された本体筒部と蓋部材に一体形成された蓋筒部の内部空間が繋がった状態で、該本体筒部と該蓋筒部を止め具で互いに固定することによって、該ケース本体と該蓋部材とで囲まれた収容空間を形成して、該収容空間に制御基板を収容する遊技機用基板ケースにおいて、前記止め具が、軸状の脚部と該脚部において挿入端部と反対側の端部に設けられた鍔状の頭部とを有していると共に、前記本体筒部と前記蓋筒部のうち該止め具の挿入方向後端側の筒部の前記内部空間には径方向内方に突出する段差面が形成されており、該段差面を挟んだ該挿入方向先端側には前記止め具の脚部を挿通する脚部挿通孔が設けられている一方、該段差面を挟んだ挿入方向後端側には前記止め具の頭部を挿通する頭部挿通孔が設けられており、且つ、接着剤を収容する接着剤収容部を前記頭部挿通孔の周壁内部又は前記頭部挿通孔内に設けると共に、前記止め具の挿入操作によって該接着剤収容部から該接着剤を前記頭部挿通孔内に流出せしめる流出手段を設ける一方、該流出手段で流出せしめられた該接着剤によって該止め具を挿入状態で固定すると共に、前記頭部挿通孔内に流出せしめられた該接着剤を該止め具の頭部の挿入操作端面に回り込ませて該接着剤で該挿入操作端面を覆う流路を設けたことを、特徴とする。
【００１１】
本態様に従う構造とされた遊技機用基板ケースによれば、止め具が接着剤で本体筒部乃至は蓋筒部の少なくとも一方に固定されることによって、止め具を取り外すことが困難とされる。これにより、ケース本体と蓋部材の組付状態を解除することを困難にすることが出来る。なお、本態様における止め具の挿入操作端面とは、止め具の挿入操作に際して手指や工具が作用する端面をいい、例えば、止め具がネジの場合には、ネジ頭部においてネジ溝が形成された端面が挿入操作端面とされる。そして、止め具を挿入状態で固定するとは、例えば止め具がネジ等の頭部と脚部を有するものである場合には、脚部を接着剤で直接に固定する態様のみならず、頭部を接着剤で固定することによって、脚部を挿入状態で固定する態様などでも良い。
【００１２】
それと共に、止め具の挿入操作端面が接着剤で覆われることによって、挿入操作端面に対する外部からの工具の接触等を略不可能とすることが出来て、工具によって止め具を開操作したり、工具を止め具に引っ掛けて無理矢理引き抜くことを困難にすることが出来る。特に、止め具がネジなどの場合には、ネジ頭の溝が接着剤で埋められることによって、工具のアクセスをより困難とすることが出来る。
【００１３】
さらに、本体筒部と蓋筒部、および止め具に接着剤が被着されることから、ケースを不正に開封しようとした場合には、接着剤に傷などの痕跡が残る。それ故、例えばキャップ部材で止め具を隠蔽した構造のように、不正な開封後に新たなキャップ部材で封止されて、開封前と同様の外観を再現されるおそれも軽減することが出来る。これにより、不正に開封された事実を容易に確認することが出来ると共に、偽造を困難にして、不正行為の予防効果を高めることが出来る。
【００１４】
そして、本態様によれば、接着剤による止め具の固定と挿入操作端面の隠蔽が、止め具の挿入操作に伴って行われることから、ケースの組付工程を増加することもなく、不正行為の防止効果の向上が図られるのである。
【００１５】
なお、本態様における止め具としては、各種のものが採用可能であり、双方向ネジや一方向ネジ、或いはスプリングピンなどが例示される。また、接着剤を収容する接着剤収容部および接着剤収容部から接着剤を流出せしめる流出手段の具体的な構造としても各種の態様が採用可能であり、例えば、本体筒部の内周面に開口する空間を本体筒部に形成して、かかる空間内に接着剤を収容した状態で開口部を蓋で覆蓋することによって接着剤収容部を構成すると共に、止め具の挿入操作に際して止め具を蓋に当接せしめて蓋を開放することによって接着剤を流出せしめても良いし、或いは、接着剤を封入した袋体を接着剤収容部として本体筒部に設けて、止め具の挿入操作に際して止め具でかかる袋体を破壊して接着剤を流出せしめる等しても良い。
【００１６】
さらに、接着剤を止め具の挿入操作端面に回り込ませる流路の具体的な構造も何等限定されるものではなく、例えば、本体筒部および蓋筒部の内周面と止め具の挿入操作端面との隙間を流路として用いるなどしても良い。好適には、前記第一の態様に係る遊技機用基板ケースにおいて、前記止め具が軸状の脚部と鍔状の頭部を有すると共に、該頭部には挿入方向に貫通する貫通路が形成されており、該貫通路によって前記流路が構成されて、該頭部における該脚部側の面と、該脚部側の面と反対側に設けられた前記挿入操作端面とが、接着剤の流通が可能に繋がれている態様が採用され得る。このようにすれば、貫通路を通じて、接着剤を止め具の挿入操作端面に回り込ませることが出来る。なお、このような態様においては、前記貫通路が前記止め具の頭部に一つ形成されている態様が、より好適に採用され得る。このようにすれば、例えば頭部の２箇所に貫通路が形成されている場合に比して、貫通路に工具を引っ掛けて止め具を無理矢理引き抜くことをより困難にすることが出来る。
【００１７】
また、本発明の第一の態様においては、前記止め具の頭部が、前記本体筒部と前記蓋筒部の少なくとも一方の内周面に対して嵌め入れられている態様も、好適に採用され得る。ここにおいて、前記本体筒部と前記蓋筒部の少なくとも一方の内周面に対して前記止め具の頭部が嵌め入れられているとは、かかる内周面と止め具の頭部の間に隙間が殆ど或いは全く無い状態を言い、止め具の頭部と内周面との間に工具を差し込むことが不可能とされていれば良いのであって、例えば、止め具の頭部を内周面に対して摺接状態で挿入して、頭部と内周面の間に隙間を形成しない態様のみならず、工具を差し込むことが不可能な程度の微小な隙間が存在するものも含む。そして、このようにすれば、本体筒部乃至は蓋筒部の内周面と止め具の頭部との隙間に工具を差し込んで、頭部を引っ掛けて無理矢理引き抜くことをより困難にすることが出来る。
【発明を実施するための最良の形態】
【００１８】
以下、本発明を更に具体的に明らかにするために、本発明の実施形態について、図面を参照しつつ、詳細に説明する。
【００１９】
先ず、図１および図２に、本発明の第一の実施形態としての遊技機用基板ケースに係る基板ケース１０を示す。基板ケース１０はパチンコ機やスロットマシン等の遊技機の作動を制御する制御基板１２を収容するケースであり、ケース本体１４に対して、蓋部材１６が重ね合わされて組み付けられた構造とされており、制御基板１２を収容した状態で、遊技機の適当な位置に取り付けられるようになっている。なお、以下の説明において、上下方向とは、特に断りの無い限り、図２における上下方向を言うものとする。
【００２０】
より詳細には、ケース本体１４は、ポリカーボネート（ＰＣ）などの透明な硬質の合成樹脂材料によって形成されており、図３に示すように、矩形状とされた底板１８の外周縁部に沿って全周に亘って延びる周壁２０が一体的に突設されて、一方に開口する略箱体形状とされている。
【００２１】
さらに、ケース本体１４の長手方向一方（図３中、左側）の側壁２２には、複数（本実施形態においては、４つ）の本体筒部２４が、側壁２２の延び出し方向（図３中、上下方向）に並んで一体形成されている。本体筒部２４は、上方に開口するピン挿通孔２５を有する有底円筒形状とされており、側壁２２から外方（図３中、左方向）に延び出す柱状の本体連結部２６と一体形成されている。これにより、ケース本体１４は、本体筒部２４および本体連結部２６を含んで一体形成されている。
【００２２】
ここにおいて、本体筒部２４の軸方向は、ケース本体１４と蓋部材１６との重ね合わせ方向（図２中、上下方向）と等しくされており、ピン挿通孔２５の開口方向（本体筒部２４の中心軸線が延びる方向）と、ケース本体１４の開口方向（底板１８に対して略直交する方向）とが、互いに略平行とされている。また、本体筒部２４、本体連結部２６、および側壁２２の上面は同一平面上に形成されている一方、本体筒部２４の下端面は、底板１８よりもやや上方に位置せしめられている（図５参照）。
【００２３】
なお、このような構造とされたケース本体１４には、底板１８や周壁２０等の適当な位置に取付片が形成されており、かかる取付片を介して、ケース本体１４を含んで構成された基板ケース１０を遊技機の所定の位置に取り付けることが可能とされている。
【００２４】
一方、蓋部材１６は、ケース本体１４と同様に、ポリカーボネート（ＰＣ）などの透明な硬質の合成樹脂材料によって形成されており、図４に示すように、矩形状とされた天板２８の外周縁部に沿って全周に亘って延びる周壁３０（図５参照）が一体的に突設されて、一方に開口する略箱体形状とされている。
【００２５】
さらに、蓋部材１６の長手方向一方（図４中、左側）の側壁３２、より詳細には、ケース本体１４への組み付け状態において本体筒部２４が位置せしめられる側には、本体筒部２４と等しい数（本実施形態においては、４つ）の蓋筒部３４が、側壁３２の延び出し方向（図４中、上下方向）に並んで一体形成されている。蓋筒部３４は、軸方向両方向に開口する貫通孔３６を有する略円筒形状とされており、側壁３２から外方（図４中、左方向）に延び出す柱状の蓋連結部３８と一体形成されている。これにより、蓋部材１６は、蓋筒部３４および蓋連結部３８を含んで一体形成されている。
【００２６】
これら複数の蓋筒部３４は何れも等しい形状とされており、ケース本体１４に設けられた本体筒部２４の外径寸法と等しい外径寸法をもって上方に開口する略円筒形状とされると共に、その中心軸線の延び出し方向は、ケース本体１４と蓋部材１６との重ね合わせ方向と等しくされている。更に、蓋筒部３４、蓋連結部３８、および側壁３２の下面は同一平面上に形成されている一方、蓋筒部３４の上端面は、天板２８よりもやや下方に位置せしめられている（図５参照）。
【００２７】
図５に示すように、本実施形態において、貫通孔３６には、軸方向下端部において径方向内方に突出する段差面４０が形成されており、段差面４０を挟んで、軸方向下方が小径のピン挿通孔４２とされている一方、軸方向上方が大径の頭部挿通孔４４とされている。ここにおいて、ピン挿通孔４２の径寸法は、本体筒部２４に形成されたピン挿通孔２５の径寸法と等しくされており、後述するピン６２の押圧板部７０の径寸法よりも小さくされている一方、頭部挿通孔４４の径寸法は、押圧板部７０の径寸法よりも僅かに大きくされている。
【００２８】
さらに、特に本実施形態における蓋筒部３４には、頭部挿通孔４４を囲むようにして、一対の収容空所４６ａ，４６ｂが形成されている。収容空所４６ａ，４６ｂは、蓋筒部３４の周方向に所定幅をもって延びる空所とされており、本実施形態においては、収容空所４６ａ，４６ｂは、それぞれ、蓋筒部３４を略半周する周方向長さをもって形成されている。更に、収容空所４６ａ，４６ｂには、それぞれ、蓋筒部３４の軸方向の上端部の適当な箇所に空気孔４８が形成されていると共に、下端部の適当な箇所に排出孔５０が形成されており、これら空気孔４８、排出孔５０は、頭部挿通孔４４の内周面５１に開口せしめられて、収容空所４６ａ，４６ｂを外部空間と連通せしめるようにされている。そして、空気孔４８、排出孔５０の頭部挿通孔４４への開口部は、蓋筒部３４と一体形成された封止ピン５２によって液密に封止されている。
【００２９】
これら収容空所４６ａ，４６ｂには、接着剤が収容される。かかる接着剤としては、従来公知の各種の接着剤が適宜に採用可能であるが、本実施形態においては、２液型のエポキシ系接着剤が用いられており、一方の収容空所４６ａに主剤（Ａ剤）５４ａが収容されると共に、他方の収容空所４６ｂに硬化剤（Ｂ剤）５４ｂが収容されている。なお、後述するピン６２の挿入操作でＡ剤とＢ剤を混合し易くしたり、連通路７８内の流動を容易とするために、超低粘度のＡ剤および超低粘度のＢ剤を用いることが、より好ましい。このように、本実施形態においては、収容空所４６ａ，４６ｂを含んで、接着剤収容部が構成されている。
【００３０】
さらに、これら主剤５４ａおよび硬化剤５４ｂは、例えば顔料を混入すること等によって互いの色が異ならされている。本実施形態においては、主剤５４ａは赤色、硬化剤５４ｂは青色に着色されている。そこにおいて、特に本実施形態においては、蓋部材１６およびそれと一体形成される蓋筒部３４が透明とされていることから、収容空所４６ａ，４６ｂに収容された主剤５４ａおよび硬化剤５４ｂの色が外部から視認可能とされている。
【００３１】
そして、このような構造とされた蓋筒部３４が、側壁３２と直交して蓋部材１６の水平方向外方に突出する蓋連結部３８を介して、蓋部材１６に一体的に連結されている。なお、蓋連結部３８の側壁３２からの突出寸法および幅寸法は、本体連結部２６の側壁２２からの突出寸法および幅寸法と等しくされている。更に、各蓋連結部３８の配列方向での離隔距離は、各本体連結部２６の配列方向での離隔距離と等しくされている。
【００３２】
また、図示は省略するが、蓋部材１６には、制御基板１２に設けられたコネクタを外部と連通せしめるための窓や、制御基板１２の熱を外部に排出するための排熱孔などが適宜に形成される。そして、制御基板１２は、蓋部材１６に対してネジ止めなどによって固定される。なお、制御基板１２は、遊技機の作動を制御する制御基板であり、遊技機としてのパチンコ機やスロットマシンの作動を全体的に制御する主制御基板や、主制御基板からの制御信号に基づいて賞媒体の払い出しを制御する払出制御基板等が例示される。
【００３３】
上述の如き構造とされたケース本体１４と蓋部材１６を組み付ける際には、先ず、ケース本体１４と、制御基板１２を取り付けた蓋部材１６とを、互いの開口部を対向せしめると共に、蓋部材１６をケース本体１４の本体筒部２４が設けられた側と反対方向（図１中、右方向）に僅かにずらした状態で重ね合わせる。
【００３４】
そして、蓋部材１６を、ケース本体１４に対して本体筒部２４が設けられた方向へスライド変位せしめる。特に本実施形態においては、ケース本体１４において本体筒部２４が形成された側と反対側の端部に、外方に突出する一対の突起５６，５６が形成されている一方、蓋部材１６の周壁３０において蓋筒部３４が形成された側と反対側に、下方に突出する突出板部５８が形成されており、かかる突出板部５８において、ケース本体１４への組み付け状態で突起５６に対応する位置に、内方に開口する一対の挿入孔６０、６０が形成されている。そして、蓋部材１６がケース本体１４に対してスライド変位せしめられることによって、突起５６が挿入孔６０に嵌め入れられる。これにより、ケース本体１４と蓋部材１６の本体筒部２４および蓋筒部３４が設けられた側と反対側の部位が、互いに固定されることとなる。なお、ケース本体１４と蓋部材１６との組み付けに際する具体的な構造としては、遊技機用基板ケースにおける各種の組み付け構造が適宜に採用可能であって、上述の如き構造に限定されるものでは無い。
【００３５】
そして、上述のようにケース本体１４に対して蓋部材１６をスライド変位せしめることによって、蓋部材１６に設けられたそれぞれの蓋筒部３４が、ケース本体１４の本体筒部２４上に変位せしめられる。これにより、図５にも示すように、それぞれの本体筒部２４と蓋筒部３４が、上下方向に同一中心軸上で重ね合わされる。これにより、本体筒部２４のピン挿通孔２５と、蓋筒部３４の貫通孔３６が同一中心軸上に重ね合わされて互いに連通せしめられることによって、本体筒部２４の内部空間と蓋筒部３４の内部空間が互いに連通せしめられることとなる。なお、本体筒部２４と蓋筒部３４は、必ずしも互いに接触状態とされる必要はなく、隙間を隔てて位置せしめられても良い。
【００３６】
次に、同一中心軸上に位置せしめられた本体筒部２４と蓋筒部３４の組の何れか一つに対して、止め具としてのピン６２が挿入されて固定される。図６および図７に、ピン６２を示す。ピン６２は、スプリングピン６４に対して押圧部材６６が組み付けられて構成されている。
【００３７】
スプリングピン６４は、鉄鋼やばね鋼、ばね用ステンレス鋼等の板材を丸めることによって形成されており、周方向の一部において軸方向に蛇行しながら延びる切り込み６８が形成された筒形状とされている。これにより、スプリングピン６４は、縮径方向の力が及ぼされることによって、拡径方向の復元力が生ぜしめられるようになっている。また、スプリングピン６４は、縮径方向の力が及ぼされていない状態における径寸法が、本体筒部２４および蓋筒部３４のピン挿通孔２５、４２よりも僅かに大きくされている。なお、スプリングピン６４の具体的な形状はあくまでも例示である。例えば、切り込み６８として、軸方向に延びる直線形状を採用する等しても良い。また、板材を一周以上巻いてスプリングピン６４を形成すること等も可能である。
【００３８】
一方、押圧部材６６は、スプリングピン６４の径寸法よりも大きな径寸法を有する全体として円板形状とされた押圧板部７０の中央部分から厚さ方向一方の側に突出する挿入軸７２が一体形成された構造とされている。ここにおいて、押圧板部７０の径寸法は、蓋筒部３４におけるピン挿通孔４２の径寸法よりも大きく、頭部挿通孔４４の径寸法よりも僅かに小さくされている。更に、押圧板部７０には、径方向外方に開口せしめられて板厚方向に貫通する貫通路としての切欠７４が１つ形成されている。なお、切欠７４の押圧板部７０の径方向での寸法は、後述するピン６２の押し込みに際して、蓋筒部３４の頭部挿通孔４４内に突出して設けられた封止ピン５２が切欠７４内を通過してしまうことを防ぐために、封止ピン５２の頭部挿通孔４４内への突出寸法よりも小さくされていることが好ましい。そして、挿入軸７２がスプリングピン６４の軸方向一方の端部から挿入されることによって、ピン６２が構成されており、押圧板部７０がピン６２において径方向外方に突出する鍔状に設けられると共に、押圧板部７０に形成された切欠７４が、スプリングピン６４に対して径方向で偏倚して、スプリングピン６４の中心軸上から外れて位置せしめられる。このように、本実施形態においては、スプリングピン６４によって止め具の脚部が構成されると共に、押圧板部７０によって止め具の頭部が構成されている。そして、スプリングピン６４において押圧板部７０が設けられた側と反対側の端部が、挿入端部７５とされる。
【００３９】
このような構造とされたピン６２を、図５に示すように、蓋筒部３４における貫通孔３６の上側開口部から、スプリングピン６４を挿入端部７５から本体筒部２４に向けて挿し入れる。そして、押圧板部７０の上面７６を工具等で押し込むことによって、図８に示すように、スプリングピン６４を蓋筒部３４のピン挿通孔４２および本体筒部２４のピン挿通孔２５に跨って挿入する。このように、本実施形態においては、押圧板部７０の上面７６が、挿入操作に際して工具等が作用する挿入操作端面とされている。これにより、スプリングピン６４が蓋筒部３４および本体筒部２４のピン挿通孔４２，２５に跨って挿入されて縮径せしめられる。その結果、スプリングピン６４の復元力がピン挿通孔４２，２５に作用して、スプリングピン６４の外周面がピン挿通孔４２，２５の内周面に押し当てられる。このようにして、一組の本体筒部２４と蓋筒部３４がスプリングピン６４を介して互いに固定される。
【００４０】
さらに、特に本実施形態においては、ピン６２を蓋筒部３４および本体筒部２４に挿入して押し込む過程で、ピン６２の押圧板部７０が、頭部挿通孔４４の内方に突出せしめられた封止ピン５２に当接せしめられて、封止ピン５２を基端部から折損する。これにより、収容空所４６ａ，４６ｂの空気孔４８および排出孔５０が頭部挿通孔４４内に開口せしめられて、収容空所４６ａ，４６ｂにそれぞれ収容されていた主剤５４ａおよび硬化剤５４ｂが頭部挿通孔４４内に流出せしめられる。このように、本実施形態においては、封止ピン５２、押圧板部７０を含んで流出手段が構成されている。なお、封止ピン５２は中空構造とされて、何れの部位で折損されても収容空所４６ａ，４６ｂが外部空間と連通せしめられるようにすることがより好ましい。
【００４１】
そこにおいて、ピン６２は、蓋筒部３４および本体筒部２４への挿入状態で、押圧板部７０が蓋筒部３４における貫通孔３６の段差面４０からやや浮いた状態で位置せしめられる。それと共に、蓋筒部３４の段差面４０に開口せしめられたピン挿通孔４２の開口部は、ピン６２のスプリングピン６４と、スプリングピン６４に挿し込まれた押圧部材６６の挿入軸７２によって封止されている。これにより、収容空所４６ａ，４６ｂから流出せしめられた主剤５４ａおよび硬化剤５４ｂは、ピン挿通孔４２に殆ど落ち込むことなく、段差面４０上で互いに混ざり合って堆積せしめられる。
【００４２】
また、ピン６２の押圧板部７０における切欠７４と頭部挿通孔４４の内周面５１との間には、押圧板部７０の上面７６と下面７９を挿入方向で連通する連通路７８が形成される。これにより、主剤５４ａおよび硬化剤５４ｂが互いに混ざり合いながら更に堆積せしめられると、これら主剤５４ａおよび硬化剤５４ｂは、連通路７８を通って、押圧板部７０の下面７９から上面７６上に回りこんで、上面７６上に堆積せしめられる。このように、本実施形態においては、連通路７８が、接着剤を止め具の挿入操作端面に回り込ませる流路とされている。その後、主剤５４ａが硬化せしめられて、上面７６を含む押圧板部７０の略全体を覆う接着層８０が形成される。このように、本実施形態においては、挿入操作端面としての押圧板部７０の上面７６が、接着剤で覆われる被覆面とされている。そして、接着層８０でピン６２の押圧部材６６が蓋筒部３４に対して接着されることによって、ピン６２は、スプリングピン６４をピン挿通孔２５，４２に挿入した状態で固定されることとなる。
【００４３】
さらに、特に本実施形態においては、主剤５４ａは赤色、硬化剤５４ｂは青色と互いに異なる色に着色されている。これにより、収容空所４６ａ，４６ｂから流出せしめられた主剤５４ａと硬化剤５４ｂが混合されることによって、接着層８０には、紫色が発現せしめられる。このように、本実施形態においては、接着剤としての主剤５４ａ、硬化剤５４ｂが、収容空所４６ａ，４６ｂから流出せしめられた硬化後には収容空所４６ａ，４６ｂに収容された硬化前の色と異なる色に変化せしめられる。また、本実施形態においては、ピン６２の押し込みに際して、押圧板部７０やピン６２を押し込む工具などが主剤５４ａ、硬化剤５４ｂ内に浸入することによって、主剤５４ａと硬化剤５４ｂの色の混合がより好適に行なわれるようになっている。
【００４４】
以上のようにして、本体筒部２４と蓋筒部３４が、スプリングピン６４の復元力によって互いに固定されると共に、ピン６２が接着層８０で固定されることによって、本体筒部２４と蓋筒部３４が解除不能に固定されるようになっている。これにより、ケース本体１４に対して蓋部材１６が固定されて、ケース本体１４と蓋部材１６の間に、収容空間８２が形成されると共に、かかる収容空間８２内に、制御基板１２が収容されることとなる。
【００４５】
そして、ケース本体１４から蓋部材１６を取り外す場合には、本体連結部２６と蓋連結部３８が重ね合わされて構成された連結部をニッパ等の工具で切断して、互いに固定された本体筒部２４と蓋筒部３４を、ケース本体１４および蓋部材１６から切り離す。これにより、ケース本体１４および蓋部材１６の固定状態が解除されて、蓋部材１６を、ケース本体１４に対して組付解除方向（図１中、右方向）に変位せしめることが可能とされる。
【００４６】
本態様に従う構造とされた基板ケース１０においては、ピン６２が接着層８０で固定されていることから、ピン６２を無理矢理引き抜くことをより困難とすることが出来る。これにより、本体筒部２４と蓋筒部３４との固定状態をより強固に発現せしめて、不正な開封をより有効に防止することが出来る。
【００４７】
そして、特に本実施形態においては、ピン６２の押圧部材６６の略全体が接着層８０で覆われて、押圧板部７０の上面７６が接着層８０で覆われている。これにより、外部からの押圧板部７０への工具の接触等を略不可能とすることが出来る。従って、押圧板部７０を工具等で引っ掛けて無理矢理引き抜くなどの、ピン６２が不正に開操作されるおそれをより有効に軽減することが出来る。更に、特に本実施形態においては、押圧板部７０と蓋筒部３４の頭部挿通孔４４の径寸法が略等しくされることによって、押圧板部７０が頭部挿通孔４４の内周面５１に嵌め入れられて、押圧板部７０と頭部挿通孔４４の内周面５１との間に殆ど隙間が形成されないようになっており、隙間に工具を挿し入れることが困難とされている。それに加えて、押圧板部７０に形成される切欠７４が１つのみとされていることから、切欠７４に工具を引っ掛けてピン６２を引き抜くことも困難とされている。更に、特に本実施形態においては、収容空所４６ａ，４６ｂの排出孔５０が、挿入状態におけるピン６２の押圧板部７０よりも上方に位置せしめられている。これにより、押圧板部７０の上面７６上に主剤５４ａおよび硬化剤５４ｂを流出せしめて、上面７６をより確実に被覆出来るようにされている。
【００４８】
このように、接着層８０でピン６２が固定されていることから、本体筒部２４と蓋筒部３４との固定状態をより強固に発現せしめて、不正な開操作をより困難にすることが出来る。そして、例えばピン６２を不正に引き抜こうとした場合には、接着層８０に傷などの痕跡が残る。これにより、不正に開封された事実を容易に確認することが出来る。また、接着層８０に傷が残ることから、不正に開封しようとする者を躊躇させることが出来て、不正行為の予防を図ることが出来る。
【００４９】
さらに、特に本実施形態においては、主剤５４ａと硬化剤５４ｂが着色されており、両色が混合されることによって、接着層８０に、硬化前と異なる色が発現せしめられるようになっている。そこにおいて、接着剤の色合いを再現するためには配合まで調べる必要があり、接着剤の色合いまで再現することは実質的に不可能である。従って、例えばピン６２を無理矢理引き抜いた後に、ピン６２を再び挿入して、押圧板部７０の上面７６を新たな接着剤で被覆したとしても、色の違いから不正に開封された事実を明らかにすることが出来て、偽造を困難にすることが出来る。また、接着層８０の色を再現することが困難とされることから、ピン６２が接着剤で固定された状態の基板ケースを偽造することも困難とすることが出来て、基板ケースごとの偽造にもより有効に対処することが出来る。更に、本実施形態においては、接着層８０が押圧板部７０の上面７６に回り込むことから、接着層８０の色を基板ケース１０の上方からも容易に確認することが可能とされている。
【００５０】
そして、本実施形態においては、主剤５４ａおよび硬化剤５４ｂの収容空所４６ａ，４６ｂからの流出と、それによる主剤５４ａと硬化剤５４ｂの混色および押圧板部７０の被覆が、ピン６２の挿入操作によって行なわれるようにされている。これにより、ケース本体１４と蓋部材１６の組み付け工程の増加を招くことなく、不正行為に対する防止効果および開封回数の確認の容易性を向上することが出来るのである。
【００５１】
次に、図９に、本発明の第二の実施形態としての基板ケースの要部を示す。なお、以下の説明において、前述の第一の実施形態と実質的に同様とされた部材および部位については、前述の第一の実施形態と同一の符号を付することによって、詳細な説明を省略する。
【００５２】
本実施形態においては、蓋筒部３４の段差面４０上に、例えばアルミニウムシートや樹脂とのラミネートシート等で形成された一対の袋体９０ａ，９０ｂが配設されており、袋体９０ａに主剤５４ａが収容されている一方、袋体９０ｂに硬化剤５４ｂが収容されている。このように、本実施形態においては、袋体９０ａ，９０ｂにより、接着剤収容部が構成されている。
【００５３】
そして、図９（ａ）に示すように、ピン６２が蓋筒部３４の貫通孔３６に挿し込まれる。ここにおいて、本実施形態におけるピン６２には、押圧板部７０の下面７９から下方に突出する尖鋭形状の突起９２が適当な個数形成されており、ピン６２を押し込むことによって、袋体９０ａ，９０ｂが突起９２で破られて、内部に収容された主剤５４ａ、硬化剤５４ｂが流出せしめられるようになっている。このように、本実施形態においては、突起９２を含んで、流出手段が構成されている。
【００５４】
これにより、袋体９０ａ，９０ｂから流出せしめられた主剤５４ａと硬化剤５４ｂが混合せしめられて、流出前と異なる色が発現せしめられると共に、段差面４０上に堆積せしめられる。そして、ピン６２を更に押し込むことによって、押圧板部７０と段差面４０との間に入り切らない主剤５４ａおよび硬化剤５４ｂは、切欠７４と内周面５１の間に形成された連通路７８を通じて、押圧板部７０の上面７６上に回り込まされる。このようにして、図９（ｂ）に示すように、押圧部材６６の全体を覆う接着層８０が形成されて、押圧板部７０の上面７６が接着層８０で被覆されることとなる。本態様によれば、より簡易な構成で、接着剤収容部および流出手段を構成することが出来る。
【００５５】
また、図１０に、本発明の第三の実施形態としての基板ケースの要部を示す。図１０（ａ）に示すように、本実施形態における蓋筒部３４には、前記第二の実施形態と同様に、段差面４０上に、主剤５４ａおよび硬化剤５４ｂをそれぞれ収容した一対の袋体９０ａ，９０ｂが設けられている。そして、特に本実施形態においては、止め具として、ワンウェイネジ９４が用いられている。
【００５６】
ワンウェイネジ９４は、頭部としてのネジ頭９６における挿入操作端面としての上面７６に形成されたネジ溝９７において、ドライバなどの工具を締付方向に回した際に工具の力を受ける面が軸方向に起立せしめられて工具の力を受けるようにされる一方、工具を緩み方向に回した際に工具の力を受ける面を傾斜せしめて、工具の力が逃がされることによって、締付方向への回転のみが許容されたネジである。
【００５７】
さらに、蓋筒部３４におけるピン挿通孔４２の内周面は平坦面とされている一方、本体筒部２４におけるピン挿通孔２５には、ワンウェイネジ９４の脚部９８を螺合せしめるネジ溝が形成されている。そして、図１０（ａ）に示すように、ワンウェイネジ９４を、脚部９８から蓋筒部３４の貫通孔３６に挿通せしめ、図１０（ｂ）に示すように、脚部９８を本体筒部２４のピン挿通孔２５に螺合せしめる。
【００５８】
かかるワンウェイネジ９４の貫通孔３６、ピン挿通孔４２への挿入に際して、ネジ頭９６が、袋体９０ａ，９０ｂを押し潰す。これにより、袋体９０ａ，９０ｂに収容された主剤５４ａ，５４ｂが流出せしめられる。ここにおいて、ワンウェイネジ９４のネジ頭９６の径寸法は蓋筒部３４の頭部挿通孔４４の径寸法よりも小さくされており、ネジ頭９６と頭部挿通孔４４の内周面５１との間には、所定の空隙１００が形成されている。そして、ワンウェイネジ９４が更に押し込まれることによって、主剤５４ａおよび硬化剤５４ｂの一部は、空隙１００を通じて、ネジ頭９６の上面７６に回り込まされる。このように、本実施形態においては、ネジ頭９６を含んで流出手段が構成されていると共に、空隙１００を含んで流路が構成されている。
【００５９】
そして、図１０（ｃ）に示すように、ネジ頭９６が段差面４０で係止されるまでワンウェイネジ９４がピン挿通孔２５に挿入されることによって、ワンウェイネジ９４が本体筒部２４に固定されると共に、蓋筒部３４の段差面４０が、ネジ頭９６と本体筒部２４の上面との間で狭持されて、本体筒部２４と蓋筒部３４が互いに固定されることとなる。更に、接着層８０によって、ネジ頭９６が蓋筒部３４に固定されると共に、主剤５４ａと硬化剤５４ｂの一部は、ワンウェイネジ９４の捻じ込みによってワンウェイネジ９４とピン挿通孔２５の間に入り込み、ワンウェイネジ９４とピン挿通孔２５を互いに直接に接着する。これにより、本体筒部２４と蓋筒部３４がより強固に固定される。そして、本態様によれば、ワンウェイネジ９４が捻じ込まれて回転せしめられることから、主剤５４ａと硬化剤５４ｂを攪拌することが出来て、主剤５４ａの色と硬化剤５４ｂの色との混合をより有効に行なうことが出来る。また、接着層８０がネジ頭９６の上面７６上に回り込まされて、ネジ頭９６のネジ溝９７内に入り込むことによって、ワンウェイネジ９４の操作をより困難にすることも出来る。
【００６０】
次に、図１１に、本発明の第四の実施形態としての基板ケースの要部を示す。本実施形態においては、蓋筒部３４における貫通孔３６の外側に、所定の周方向長さを有する収容空所１０２が形成されており、かかる収容空所１０２の周上の適当な箇所に、蓋１０４が開閉可能に設けられている。特に本実施形態においては、蓋１０４は、蓋筒部３４に形成された案内溝１０５で案内されて上下方向に移動可能とされており、案内溝１０５との摺接抵抗などによって、上方に位置せしめた閉状態と、下方に位置せしめた開状態が選択可能とされている。そして、蓋１０４の閉状態において、収容空所１０２が封止される一方、蓋１０４の開状態において、収容空所１０２が内周面５１に開口せしめられて、外部空間と連通せしめられるようになっている。更に、蓋１０４には、貫通孔３６の内方に突出する作用突部１０６が一体形成されている。
【００６１】
また、収容空所１０２には、蓋１０４を閉状態として、接着剤１０７が収容されている。接着剤１０７としては、例えばエポキシ系、アクリル系、ウレタン系などの１液型のものが用いられており、好適には、連通路７８内の流動を容易とするために、超低粘度のものが用いられる。このように、本発明において用いられる接着剤としては、必ずしも２液型のものに限定されるものではなく、１液型のものも採用可能である。更に、接着剤１０７には、図１２に示すように、着色料１０８を内包したマイクロカプセル１１０が混入せしめられている。本実施形態においては、着色料１０８として顔料が用いられている。ここにおいて、マイクロカプセル１１０に収容される着色料１０８の色は、接着剤１０７の色とは異ならされており、特に本実施形態においては、接着剤１０７は略無色透明とされている一方、マイクロカプセル１１０には、着色料１０８として青色の顔料が収容されている。
【００６２】
そして、蓋筒部３４の貫通孔３６に前記第一の実施形態と同様の構造とされたピン６２が挿し込まれることによって、押圧板部７０が、蓋１０４の作用突部１０６に当接せしめられる。更に、ピン６２の挿入操作に伴って、蓋１０４が開操作されて、収容空所１０２に収容された接着剤１０７が流出せしめられる。これにより、図１１（ｂ）に示すように、上面７６を含む押圧板部７０の略全体を覆う接着層８０が形成されることとなる。このように、本実施形態においては、蓋１０４と押圧板部７０を含んで流出手段が構成されている。
【００６３】
ここにおいて、ピン６２が押し込まれることによって、接着剤１０７に混合せしめられたマイクロカプセル１１０が潰される等して、内部に収容された着色料１０８がマイクロカプセル１１０から流出せしめられる。その結果、接着剤１０７の色が変化せしめられて、接着層８０には、硬化前とは異なる色が発現せしめられる。本実施形態においては、接着剤１０７が略無色透明とされると共に、着色料１０８が青色とされていることによって、接着層８０には青色が発現せしめられる。本実施形態から明らかなように、接着剤の色を変化せしめるには、互いに異なる色を有する２液の接着剤を混合するのみならず、１液型の接着剤の色を流出前と流出後で変化せしめる等しても良い。
【００６４】
以上、本発明の幾つかの実施形態について詳述してきたが、これらはあくまでも例示であって、本発明は、これらの実施形態における具体的な記載によって、何等、限定的に解釈されるものではない。
【００６５】
例えば、図１３に示すように、前記第一の実施形態におけるピン６２に形成された切欠７４の代わりに、押圧板部７０の径方向外方に開口することなく、肉厚方向に貫通する貫通路１１２を形成する等しても良い。このようにすれば、押圧板部７０と蓋筒部３４の内周面との間を全周に亘って略隙間なく構成することが出来て、かかる隙間内への工具の差し込みなどをより困難にすることが出来ると共に、前記第一の実施形態における封止ピン５２をより確実に破砕することも出来る。
【００６６】
また、止め具の具体的な構造は、前記各実施形態の如き構造に限定されるものではなく、従来公知の各種の止め具が適宜に採用可能である。
【００６７】
また、接着剤収容部の配設位置は、必ずしも蓋筒部に限定されるものではなく、本体筒部に設けても良いし、或いは、本体筒部と蓋筒部の両方に設ける等してもよい。また、前記各実施形態においては、止め具の頭部を用いて接着剤収容部から接着剤を流出せしめるようにされていたが、止め具の脚部を用いて接着剤を流出せしめること等も、勿論可能である。例えば、前記第二の実施形態（図９参照）において、袋体９０ａ，９０ｂを、頭部挿通孔４４の径寸法と略等しい径寸法をもって形成して、これら袋体９０ａ，９０ｂをピン６２の挿入方向で重ね合わせて段差面４０上に配設する等してもよい。このようにすれば、ピン６２の挿し込みに際して、脚部としてのスプリングピン６４の先端部が袋体９０ａ，９０ｂを破ることによって、接着剤を流出せしめることが出来る。
【００６８】
また、接着剤収容部から流出せしめられた接着剤を止め具の挿入操作によって流出前とは異なる色に変化せしめる具体的な構造として、図９に示した袋体９０ａに１液型接着剤を収容せしめると共に、袋体９０ｂに着色料を収容せしめる等しても良い。このようにしても、ピン６２の挿入操作に際して袋体９０ａ，９０ｂが破壊されて接着剤と着色料が混合せしめられることによって、接着剤の色を変化させることが出来る。
【００６９】
あるいは、図９に示した第二の実施形態において、主剤５４ａを収容した袋体９０ａと、硬化剤５４ｂを収容した袋体９０ｂに加えて、主剤５４ａおよび硬化剤５４ｂと異なる色の着色料を収容した袋体を、例えば袋体９０ａ，９０ｂの間などのピン６２の挿入操作に際して破壊可能な箇所に配設する等しても良い。このようにすれば、ピン６２の挿入操作に際して、袋体９０ａ，９０ｂおよび着色料を収容した袋体が破壊されて、主剤５４ａおよび硬化剤５４ｂに着色料が混合せしめられる。これにより、接着剤の色を更に異なる色に変化せしめることが出来る。
【００７０】
また、前記第一の実施形態においては、予め着色された主剤５４ａと硬化剤５４ｂが混合せしめられることによって、収容空所４６ａ，４６ｂからの流出前と異なる色が発現せしめられるようにされていたが、例えば、主剤５４ａと硬化剤５４ｂを略無色透明とすると共に、前記第四の実施形態の如きマイクロカプセル１１０を主剤５４ａと硬化剤５４ｂの少なくとも一方に混入せしめて、収容空所４６ａ，４６ｂからの流出に際してピン６２でマイクロカプセル１１０を破壊することによって、主剤５４ａと硬化剤５４ｂの混合と共に流出前と異なる色を発現せしめるなどしても良い。
【００７１】
更にまた、本体筒部および蓋筒部の個数や配設位置は特に限定されるものでないことは、言うまでもない。例えば、前記実施形態においては、本体筒部および蓋筒部の組が４つ設けられていたが、それ以上設けることも可能であるし、それ以下としても良い。
【００７２】
なお、上記実施形態から把握できる本発明の好適な技術思想について以下に記載する。
【００７３】
（１）前記接着剤収容部に、前記接着剤を流出せしめる排出路を設けると共に、該排出路を封止する封止部を設け、前記止め具の挿入操作に際して該止め具で該封止部を破壊することによって、前記流出手段を構成した請求項１又は２に記載の遊技機用基板ケース。
【００７４】
このようにすれば、簡易な構成で流出手段を構成することが出来る。なお、接着剤の流出をより円滑に行なうために、排出路と共に接着剤収容部の内部を外部空間と連通する空気孔を設けて、かかる空気孔を、排出路と同様に止め具の挿入操作に伴って破壊可能に封止する等しても良い。例えば、前記第一の実施形態においては、排出孔５０によって排出路が、空気孔４８によって空気孔が構成されており、封止ピン５２によって封止部が構成されている。
【００７５】
（２）前記止め具に、前記接着剤収容部を穿つ突起を設けることによって、前記流出手段を構成した請求項１又は２又は技術思想（１）に記載の遊技機用基板ケース。
【００７６】
このようにすれば、止め具の挿入操作に際して、突起を接着剤収容部に押し付けて穴を開けることによって、接着剤をより容易に流出せしめることが出来る。例えば、前記第二の実施形態においては、ピン６２の押圧板部７０の下面７９に突起９２が形成されており、接着剤収容部としての袋体９０ａ，９０ｂを穿つようにされている。
【００７７】
（３）前記接着剤収容部に開閉可能に蓋を設けて、前記止め具の挿入操作によって該止め具を該蓋に係合せしめて該蓋を開操作することによって、前記流出手段を構成した請求項１又は２又は技術思想（１）又は（２）に記載の遊技機用基板ケース。
【００７８】
このようにすれば、接着剤収容部の開操作を、より確実に行なうことが出来る。例えば、前記第四の実施形態においては、接着剤収容部としての収容空所１０２に蓋１０４が開閉可能に設けられており、ピン６２の挿入操作に際して、押圧板部７０が蓋１０４の作用突部１０６に係合することによって、蓋１０４が開操作されるようになっている。
【００７９】
（４）前記接着剤収容部に前記接着剤を流出せしめる排出路を設けると共に、該排出路が、挿入状態で固定された前記止め具の挿入操作端面よりも上方に位置せしめられている請求項１又は２又は技術思想（１）乃至（３）の何れか一つに記載の遊技機用基板ケース。
【００８０】
このようにすれば、接着剤が止め具の挿入操作端面の上方から流出せしめられることから、挿入操作端面をより確実に接着剤で覆うことが出来る。例えば前記第一の実施形態において、排出路としての排出孔５０は、挿入状態でのピン６２の押圧板部７０の上面７６よりも上方で内周面５１に開口せしめられている。
【図面の簡単な説明】
【００８１】
【図１】本発明の第一の実施形態としての遊技機用基板ケースの上面をモデル的に示す説明図。
【図２】同遊技機用基板ケースの側面をモデル的に示す説明図。
【図３】同遊技機用基板ケースを構成するケース本体の上面をモデル的に示す説明図。
【図４】同遊技機用基板ケースを構成する蓋部材の上面をモデル的に示す説明図。
【図５】図１におけるＶＩＩＩ−ＶＩＩＩ断面に相当し、止め具の挿入方法を示す要部拡大断面モデル図。
【図６】止め具の頭部を断面で示した側面モデル図。
【図７】同止め具の上面を示すモデル図。
【図８】図１におけるＶＩＩＩ−ＶＩＩＩ断面に相当する要部拡大断面モデル図。
【図９】本発明の第二の実施形態を示す要部拡大断面モデル図。
【図１０】本発明の第三の実施形態を示す要部拡大断面モデル図。
【図１１】本発明の第四の実施形態を示す要部拡大断面モデル図。
【図１２】接着剤に混入されたマイクロカプセルを説明するためのモデル図。
【図１３】異なる態様の止め具の頭部を断面で示した側面モデル図。
【符号の説明】
【００８２】
１０：基板ケース、１２：制御基板、１４：ケース本体、１６：蓋部材、２４：本体筒部、２５：ピン挿通孔、３４：蓋筒部、４２：ピン挿通孔、４４：頭部挿通孔、４６ａ，ｂ：収容空所、５４ａ：主剤、５４ｂ：硬化剤、６２：ピン、６４：スプリングピン、７０：押圧板部、７４：切欠、７８：連通路、８０：接着層
【図１】
0005163186.tif 000002
【図２】
0005163186.tif 000003
【図３】
0005163186.tif 000004
【図４】
0005163186.tif 000005
【図５】
0005163186.tif 000006
【図６】
0005163186.tif 000007
【図７】
0005163186.tif 000008
【図８】
0005163186.tif 000009
【図９】
0005163186.tif 000010
【図１０】
0005163186.tif 000011
【図１１】
0005163186.tif 000012
【図１２】
0005163186.tif 000013
【図１３】
0005163186.tif 000014